(57)【要約】      （修正有）【課題】電子機器を持ち運ぶ状態と電子機器を操作する状態とを容易に変更する移動部を備える電子機器収容ケースを提供する。【解決手段】電子機器を収容する収容部を有する矩形状の本体部と、使用者の肩に掛けて本体部を保持する肩掛けベルト１６と、を備える電子機器収容ケースであって、本体部の第１の角部２１ａと隣り合う第２の角部２１ｂ側に配置される第１の位置と、第２の角部２１ｂと隣り合う第３の角部２１ｃ側に配置される第２の位置との間で肩掛けベルトの他方の端部６１ｂを移動自在に保持する移動部５２を備える。【選択図】図１
2020092841.tif 000002
【特許請求の範囲】
【請求項１】
電子機器を収容する収容部を有する矩形状の本体部と、使用者の肩に掛けて前記本体部を保持する肩掛けベルトと、を備える電子機器収容ケースであって、
前記肩掛けベルトの少なくとも一方の端部を前記本体部の角部と当該角部に隣接する角部との間で移動自在に保持する移動部を備えることを特徴とする電子機器収容ケース。
【請求項２】
前記肩掛けベルトの一方の端部を前記本体部の第１の角部に固定する固定部を備え、
前記移動部は、前記本体部の第１の角部と隣り合う第２の角部側に配置される第１の位置と、前記第２の角部と隣り合う第３の角部側に配置される第２の位置との間で前記肩掛けベルトの他方の端部を移動自在に保持することを特徴とする請求項１に記載の電子機器収容ケース。
【請求項３】
前記移動部は、前記第２の角部から前記第３の角部まで直線状に配置され、前記肩掛けベルトの他方の端部が連結されたスライドベルトを備えることを特徴とする請求項２に記載の電子機器収容ケース。
【請求項４】
前記収容部は、前記本体部の一方の面に配置されており、
前記固定部及び前記移動部は、前記一方の面に対向する他方の面に配置されており、
前記移動部と前記肩掛けベルトの他方の端部とを連結し、前記肩掛けベルトの他方の端部が前記第２の位置に配置された際に、この連結部から前記本体部の縁までの距離よりも長く形成された折曲部を備えることを特徴とする請求項２又は３に記載の電子機器収容ケース。
【請求項５】
前記折曲部は、
前記本体部の縁で折り曲げられる折曲部本体と、
前記移動部と連結された一方の端部が折り曲げられて２重に重ね合わせられた重ね合わせ部分と、を有し、
前記肩掛けベルトの他方の端部を前記他方の面側から前記一方の面側へ移動させると、前記折曲部本体は前記本体部の縁で折り曲げられ、前記重ね合わせ部分は前記他方の面側に位置することを特徴とする請求項４に記載の電子機器収容ケース。
【請求項６】
前記移動部と前記肩掛けベルトの他方の端部とを連結する連結具を備えることを特徴とする請求項４又は５に記載の電子機器収容ケース。
【発明の詳細な説明】
【技術分野】
【０００１】
本発明は、電子機器収容ケースに関し、特に、使用者が電子機器を肩から下げた状態で持ち運び及び操作をすることが可能な電子機器収容ケースに関する。
【背景技術】
【０００２】
従来から、電子機器を収容するためのケースとしてタブレット型ＰＣ（Ｐｅｒｓｏｎａｌ  Ｃｏｍｐｕｔｅｒ）を収容する電子機器収容ケースが知られている。この電子機器収容ケースは、タブレット型ＰＣを収容する本体部と、本体部を使用者の肩から下げるための肩掛けベルトとを備えており、使用者が肩掛けベルトを肩から下げた状態で操作をすることができる。
このような電子機器収容ケースとしては、使用者の肩に掛けるショルダーストラップを備えた保護ケースがある。この保護ケースは、端末装置の裏面を支持する支持部に配置されたベルト通しにショルダーストラップを通すことにより、端末装置の表示部を上に向けた状態で端末装置を保持している（例えば、特許文献１参照）。
【先行技術文献】
【特許文献】
【０００３】
【特許文献１】特開２０１７−１８７９５９号公報
【発明の概要】
【発明が解決しようとする課題】
【０００４】
しかしながら、上述した従来の電子機器収容ケースは、端末装置の対角線上にショルダーストラップを通しているため、端末装置の表示部を横に向けて持ち運ぶ際に端末装置が対角線を中心に回転することがある。
このため、安定して端末装置を持ち運ぶためには、端末装置の上端が水平になるように、支持部の左下部に配置されたベルト通しに通したショルダーストラップを左上部に配置されたベルト通しに通し直す必要があり、端末装置を持ち運ぶ状態と端末装置を操作する状態との使用状態の変更が煩雑となる。
【０００５】
そこで、本発明は、上述の課題に鑑みてなされたものであり、電子機器を持ち運ぶ状態と電子機器を操作する状態とを容易に変更することができる電子機器収容ケースを提供することを目的とする。
【課題を解決するための手段】
【０００６】
上記目的を達成するため、本発明は、電子機器を収容する収容部を有する矩形状の本体部と、使用者の肩に掛けて前記本体部を保持する肩掛けベルトと、を備える電子機器収容ケースであって、前記肩掛けベルトの少なくとも一方の端部を前記本体部の角部と当該角部に隣接する角部との間で移動自在に保持する移動部を備えることを特徴とする。
【０００７】
また、前記肩掛けベルトの一方の端部を前記本体部の第１の角部に固定する固定部を備え、前記移動部は、前記本体部の第１の角部と隣り合う第２の角部側に配置される第１の位置と、前記第２の角部と隣り合う第３の角部側に配置される第２の位置との間で前記肩掛けベルトの他方の端部を移動自在に保持することが好ましい。
【０００８】
また、前記移動部は、前記第２の角部から前記第３の角部まで直線状に配置され、前記肩掛けベルトの他方の端部が連結されたスライドベルトを備えることが好ましい。
【０００９】
また、前記収容部は、前記本体部の一方の面に配置されており、前記固定部及び前記移動部は、前記一方の面に対向する他方の面に配置されており、前記移動部と前記肩掛けベルトの他方の端部とを連結し、前記肩掛けベルトの他方の端部が前記第２の位置に配置された際に、この連結部から前記本体部の縁までの距離よりも長く形成された折曲部を備えることが好ましい。
【００１０】
また、前記折曲部は、前記本体部の縁で折り曲げられる折曲部本体と、前記移動部と連結された一方の端部が折り曲げられて２重に重ね合わせられた重ね合わせ部分と、を有し、前記肩掛けベルトの他方の端部を前記他方の面側から前記一方の面側へ移動させると、前記折曲部本体は前記本体部の縁で折り曲げられ、前記重ね合わせ部分は前記他方の面側に位置することが好ましい。
【００１１】
また、前記移動部と前記肩掛けベルトの他方の端部とを連結する連結具を備えることが好ましい。
【発明の効果】
【００１２】
本発明の電子機器収容ケースによれば、電子機器を持ち運ぶ状態と電子機器を操作する状態とを容易に変更することができる。
【図面の簡単な説明】
【００１３】
【図１】本発明の実施の形態に係る電子機器収容ケースを示す斜視図である。
【図２】電子機器収容ケースのポケット内部を示す斜視図である。
【図３】電子機器収容ケースの正面図である。
【図４】電子機器収容ケースの肩掛けベルトの第１の位置を説明する背面図である。
【図５】電子機器収容ケースの肩掛けベルトの第２の位置を説明する背面図である。
【図６】電子機器収容ケースの折曲部を折り曲げた状態を説明するための図である。
【図７】電子機器収容ケースを持ち運ぶ状態を示す図である。
【図８】電子機器収容ケースに収容された電子機器を使用する状態を示す図である。
【発明を実施するための形態】
【００１４】
本発明の好ましい実施の形態について、図面を参照しながら説明する。なお、以下に示す実施の形態は一例であり、本発明の範囲において、種々の実施の形態をとりうる。
【００１５】
１．電子機器収容ケースの全体構成
はじめに、図１乃至図６を参照して、電子機器収容ケースの構成について説明する。
なお、以下では、説明の便宜上、電子機器収容ケース１の長手方向（以下、縦方向ともいう）において矢印ａ方向を上側ａとし、矢印ｂ方向を下側ｂとする。また、縦方向に垂直な方向（以下、横方向ともいう）において矢印ｃ方向を一側ｃとし、矢印ｄ方向を他側ｄとする。
電子機器収容ケース１は、例えば、医療現場や店舗、工場などのタブレット型ＰＣを使用する現場において、使用者がタブレット端末などの電子機器を肩から下げた状態で持ち運び及び使用するものである。電子機器収容ケース１は、図１乃至図３に示すように、タブレット端末Ｔを収容する略矩形状の本体部１２と、使用者の肩に掛けて本体部１２を保持する帯状の布部材である肩掛けベルト１６と、本体部１２と肩掛けベルト１６との間に配置されて本体部１２の横縁２４ｂで折り曲げ可能な折曲部１７とを備えている。
また、図２に示すように、電子機器収容ケース１は、メモ帳や手帳などを収容可能な第１ポケット部１８ａと、ボールペンなどのペン類を内部に収容可能な第２ポケット部１８ｂと、携帯電話やスマートフォンなどを収容可能な第３ポケット部１８ｃに仕切られたポケット１８と、鍵などを取り付けるリング１９とを備えている。
なお、電子機器収容ケース１は、縦方向の長さが約２４０ｍｍ、横方向の長さが約１７０ｍｍのタブレット端末Ｔが収容可能に、縦方向の長さが約２８５ｍｍ、横方向の長さが約２１５ｍｍである。
【００１６】
＜本体部＞
図１乃至図３に示すように、本体部１２は、肩掛けベルト１６を肩にかけて使用する際に上側に位置する上側ａの角部である第１の角部２１ａ及び第２の角部２１ｂと、肩掛けベルト１６を肩にかけて使用する際に下側に位置する下側ｂの角部である第３の角部２１ｃと、第４の角部２１ｄとを有している。
第１の角部２１ａと第４の角部２１ｄは、他側ｄに配置され、第２の角部２１ｂと第３の角部２１ｃは、一側ｃに配置されている。また、第１の角部２１ａと第３の角部２１ｃとは互いに対角に位置し、第２の角部２１ｂと第４の角部２１ｄとは互いに対角に位置している。
本体部１２の一方の面２２ａ（以下、表面２２ａともいう。）の周縁部２３ａと、他方の面２２ｂ（以下、裏面２２ｂともいう。）の周縁部２３ｂとは、布Ｐｔで覆われて互いに縫い合わせられ、横縁２４ａ，２４ｂ、縦縁２４ｃ，２４ｄを形成している。
横縁２４ａは上側ａに位置し、横縁２４ｂは下側ｂに位置し、縦縁２４ｃは一側ｃに位置し、縦縁２４ｄは他側ｄに位置している。すなわち、横縁２４ａは第１の角部２１ａと第２の角部２１ｂとの間に位置し、横縁２４ｂは第３の角部２１ｃと第４の角部２１ｄの間に位置し、縦縁２４ｃは第２の角部２１ｂと第３の角部２１ｃとの間に位置し、縦縁２４ｄは第１の角部２１ａと第４の角部２１ｄとの間に位置している。
本体部１２は、表面２２ａに配置されてタブレット端末Ｔを収容する収容部３２と、裏面２２ｂに配置されて肩掛けベルト１６の一方の端部６１ａが固定された固定部４２と、裏面２２ｂに配置されて肩掛けベルト１６の他方の端部６１ｂが第２の角部２１ｂと第３の角部２１ｃとを移動可能な移動部５２とを有している。
【００１７】
（収容部）
図３に示すように、収容部３２は、タブレット端末Ｔの表示部Ｔｄを視認可能でかつタッチ操作可能な透明フィルムが全域に配置された窓部３３を有している。
また、収容部３２は、第３の角部２１ｃ及び第４の角部２１ｄに配置されてタブレット端末Ｔの角部を外力から保護する保護部材３４ａ，３４ｂと、収容部３２内部にタブレット端末Ｔを出し入れする開口３０を封止するファスナー３５と、開口３０及びファスナー３５を覆う覆い部材３６とを有している。
覆い部材３６は、上側ａ方向の端部が横縁２４ａに固定されており、収容部３２内にタブレット端末Ｔを出し入れ可能に開口３０及びファスナー３５を上から覆うことにより、開口３０から収容部３２内に液体が侵入するのを防止する。
【００１８】
（固定部）
図１に示すように、固定部４２は、第１の角部２１ａに固定された固定ベルト４３を有している。固定ベルト４３と肩掛けベルト１６の一方の端部６１ａとは、Ｄリング状の連結金具Ｃ１により連結されている。
固定ベルト４３は、帯状の布部材であり、連結金具Ｃ１に通されて折り曲げられて２重に重ね合わせられた重ね合わせ部分４４が第１の角部２１ａに縫糸により縫い合わせられて固定されている。固定ベルト４３の横方向の長さＡは、連結金具Ｃ１の内径とほぼ同じ長さであり、例えば約２５ｍｍである。
固定ベルト４３と肩掛けベルト１６の一方の端部６１ａとは、連結金具Ｃ１に通されており、肩掛けベルト１６の一方の端部６１ａは、連結金具Ｃ１により連結された固定ベルト４３を介して本体部１２の第１の角部２１ａに固定されている。
【００１９】
（移動部）
図４及び図５に示すように、移動部５２は、肩掛けベルト１６の他方の端部６１ｂを第１の位置と第２の位置との間で移動自在に保持する。移動部５２は、本体部１２の縦縁２４ｃに沿って配置されたスライドベルト５３と、Ｄリング状の連結金具Ｃ２とを有している。スライドベルト５３と肩掛けベルト１６の他方の端部６１ｂとは、連結金具Ｃ２及び折曲部１７を介して連結されている。
スライドベルト５３は、第２の角部２１ｂから第３の角部２１ｃまで略直線状に配置された帯状の布部材であり、連結金具Ｃ２を通した状態で本体部１２の裏面２２ｂに配置されている。スライドベルト５３の横方向の長さＢ（図１及び図２参照）は、連結金具Ｃ２の内径とほぼ同じ長さであり、例えば約２５ｍｍである。
スライドベルト５３の一方の端部５３ａは、本体部１２の裏面２２ｂ側に折り曲げられており、裏面２２ｂ側に配置された部分のみが第２の角部２１ｂに縫糸により縫い合わせられて固定されている。スライドベルト５３の他方の端部５３ｂは、第３の角部２１ｃに重ね合わせられて縫糸により第３の角部２１ｃに縫い合わせられて固定されている。
スライドベルト５３の縦縁２４ｃに沿う長さＣは、約２５５ｍｍである。また、スライドベルト５３の他方の端部５３ｂの縦縁２４ｃに沿う長さＤ、すなわち、他方の端部５３ｂが第２の角部２１ｂに縫い合わせられた部分の縦方向の長さＤは約３０ｍｍであり、連結金具Ｃ２の外径とほぼ同じ長さである。
スライドベルト５３の他方の端部５３ｂ以外の部分は、本体部１２の裏面２２ｂに固定されておらず、この固定されていない部分を連結部材Ｃ２が移動可能にされている。固定されていない部分の長手方向の長さＥは約２２５ｍｍであり、例えば、電子機器収容ケース１の縦方向の長さの８割以上９割以下の長さである。
【００２０】
図１及び図２に示すように、連結金具Ｃ２は、曲線部Ｃ２ａと直線部Ｃ２ｂを有し、スライドベルト５３と折曲部１７の一方の端部７１ａが通されている。
連結金具Ｃ２の曲線部Ｃ２ａは、本体部１２の裏面２２ｂとスライドベルト５３との間に配置され、直線部Ｃ２ｂが折曲部１７の一方の端部７１ａ側に配置されている。すなわち、スライドベルト５３との摩擦が少ない曲線部Ｃ２ａが本体部１２の裏面２２ｂとスライドベルト５３との間に配置されている。
スライドベルト５３と折曲部１７とは、連結金具Ｃ２を介して連結されており、肩掛けベルト１６の他方の端部６１ｂは、連結金具Ｃ２により折曲部１７を介して本体部１２のスライドベルト５３に移動可能に連結されている。
連結金具Ｃ２を矢印Ｍ１方向に移動させると、スライドベルト５３の２つの面のうち本体部１２の裏面２２ｂに対向する面に沿って連結金具Ｃ２の曲線部Ｃ２ａが移動する。連結金具Ｃ２が矢印Ｍ１方向に移動すると、肩掛けベルト１６の他方の端部６１ｂが矢印Ｍ１方向に移動することにより、肩掛けベルト１６の他方の端部６１ｂは第１の位置又は第２の位置に移動する。
第１の位置とは、図４に示すように、連結金具Ｃ２を上側ａへ移動させることにより、肩掛けベルト１６の他方の端部６１ｂが本体部１２の第２の角部２１ｂ側に配置される位置である。
第２の位置とは、図５に示すように、連結金具Ｃ２を下側ｂへ移動させることにより、肩掛けベルト１６の他方の端部６１ｂが本体部１２の第３の角部２１ｃ側に配置される位置である。
【００２１】
＜肩掛けベルト＞
図１及び図２に示すように、肩掛けベルト１６は、帯状の布部材であり、連結金具Ｃ１を介して本体部１２の固定部４２に固定された一方の端部６１ａと、折曲部１７を介して本体部１２の移動部５２に連結された他方の端部６１ｂと、肩掛けベルト１６の一方の端部６１ａと他方の端部６１ｂとの間で使用者の肩に掛けることにより本体部１２を保持する肩掛け部６１ｃとを有している。
肩掛けベルト１６の他方の端部６１ｂには、他方の端部６１ｂに対して回転可能なナスカン状の連結金具６２が取り付けられている。連結金具６２に力を加えて環を開き、折曲部１７の他方の端部７１ｂに取り付けられたＤリング状の連結金具Ｃ３に環を通すことにより、肩掛けベルト１６の他方の端部６１ｂが折曲部１７に連結する。
肩掛けベルト１６の肩掛け部６１ｃには、アジャスタ６３が取り付けられており、アジャスタ６３により肩掛け部６１ｃの長さが調整可能である。
【００２２】
＜折曲部＞
図４乃至図６に示すように、折曲部１７は、スライドベルト５３と肩掛けベルト１６の他方の端部６１ｂとを連結する帯状の布部材であり、肩掛けベルト１６の他方の端部６１ｂが第２の位置に配置された際に、この連結部分から本体部１２の横縁２４ｂまでの距離よりも長く形成されている。具体的には、図５に示すように、連結部分から本体部１２の横縁２４ｂまでの距離Ｆよりも折曲部１７の縦方向に延びる長さＧの方が長く形成されており、長さＧは例えば約１００ｍｍである。折曲部１７は、連結金具Ｃ２に連結された一方の端部７１ａと、連結金具Ｃ３に連結された他方の端部７１ｂと、一方の端部７１ａと他方の端部７１ｂとの間で折り曲げられる折曲部本体７２とを有している。
折曲部本体７２は、図５及び図６に示すように、肩掛けベルト１６の他方の端部６１ｂが第２の位置に配置された状態で、折曲部本体７２を横縁２４ｂから矢印Ｍ２方向（裏面２２ｂから表面２２ａに向けて）へ折り曲げることにより、肩掛けベルト１６の他方の端部６１ｂを裏面２２ｂ側から表面２２ａ側へ移動することが可能である。
【００２３】
折曲部１７の一方の端部７１ａは、スライドベルト５３に通された連結金具Ｃ２に通されて折り曲げられて２重に重ね合わせられた重ね合わせ部分７３ａと、重ね合わせ部分７３ａを縫糸により縫い合わせられた縫合部分７４ａとを有している。
折曲部１７の他方の端部７１ｂは、折曲部本体７１が連結金具Ｃ３に通されて折り曲げられて２重に重ね合わせられた重ね合わせ部分７３ｂと、重ね合わせ部分７３ｂを縫糸により縫い合わせられた縫合部分７４ｂとを有している。
重ね合わせ部分７３ａは、肩掛けベルト１６の他方の端部６１ｂを第２の位置に配置すると、本体部１２の裏面２２ｂ側でスライドベルト５３の他方の端部５３ｂの上から重なり合う部分である。
図５に示すように、重ね合わせ部分７３ａの縦縁２４ｃに沿う長さＨは約２５ｍｍであり、スライドベルト５３の他方の端部５３ｂに連結金具Ｃ２の曲線部Ｃ２ａが配置されると、縫合部分７４ａが横縁２４ｂに位置する長さに設定されている。
縫合部分７４ａは、スライドベルト５３の他方の端部５３ｂに連結金具Ｃ２の曲線部Ｃ２ａが位置している状態で折曲部本体７２を横縁２４ｂから矢印Ｍ２方向へ折り曲げると、横縁２４ｂに当接する。
【００２４】
２．電子機器収容ケースの使用態様
次いで、図５乃至図８を参照して電子機器収容ケースの使用態様について説明する。電子機器収容ケース１は、肩掛けベルト１６の他方の端部６１ｂ（連結金具Ｃ２）を第１の位置と第２の位置とを移動させることにより、タブレット端末Ｔを持ち運ぶ持ち運び状態とタブレット端末Ｔを使用する使用状態とに態様を変更することができる。
【００２５】
＜持ち運び状態＞
図７に示すように、タブレット端末Ｔを持ち運ぶ持ち運び状態とするために、肩掛けベルト１６の肩掛け部６１ｃを使用者の右肩から斜め肩掛けにし、連結金具Ｃ２を上側ａへ移動させることにより、肩掛けベルト１６の他方の端部６１ｂが本体部１２の第２の角部２１ｂ側に配置される第１の位置に配置する。
肩掛けベルト１６の他方の端部６１ｂを第１の位置に配置すると、肩掛けベルト１６の一方の端部６１ａ及び他方の端部６１ｂにより、本体部１２の第１の角部２１ａと第２の角部２１ｂとの間に位置する横縁２４ａが略水平になるように本体部１２を保持することが可能になる。
また、肩掛けベルト１６の他方の端部６１ｂを第１の位置に配置すると、本体部１２は使用者の左腰に位置し、タブレット端末Ｔの表示部Ｔｄは使用者側を向く位置に配置される。
このように、肩掛けベルト１６の他方の端部６１ｂを第１の位置に配置、すなわち、連結金具Ｃ２を上側ａへ移動させて肩掛けベルト１６の他方の端部６１ｂが本体部１２の第２の角部２１ｂ側に配置することにより、横縁２４ａを水平にしてタブレット端末Ｔを持ち運ぶ持ち運び状態とする。
【００２６】
＜使用状態＞
図６及び図８に示すように、タブレット端末Ｔを使用する使用状態とするために、肩掛けベルト１６の他方の端部６１ｂを第２の位置に配置する。肩掛けベルト１６の他方の端部６１ｂを第２の位置に配置すると、一方の端部６１ａ及び他方の端部６１ｂにより対角線上に本体部１２を保持可能になる。
具体的には、連結金具Ｃ２を上側ａから下側ｂへ移動させることにより、肩掛けベルト１６の他方の端部６１ｂが本体部１２の第３の角部２１ｃ側に配置する。肩掛けベルト１６の他方の端部６１ｂが第３の角部２１ｃ側に配置されると、スライドベルト５３の他方の端部５３ｂの上から重ね合わせ部分７３ａが重なり合い、折曲部１７の縫合部分７４ａが横縁２４ｂに位置して折曲部１７の折曲部本体７２が折り曲げ可能な状態となる（図５参照）。
【００２７】
そして、縫合部分７４ａを横縁２４ｂに位置させた状態で、折曲部本体７２を矢印Ｍ２方向へ折り曲げながら表面２２ａを上方（使用者と対峙する方向）に向けると、図８に示すように、本体部１２の縦縁２４ｄが使用者の腹部側に配置され、タブレット端末Ｔの表示部Ｔｄが上方を向く。なお、持ち運び状態の本体部１２の位置（図７に示す位置）から使用状態の本体部１２の位置（図８に示す位置）へ本体部１２を移動した後、連結金具Ｃ２を移動させて肩掛けベルト１６の他方の端部６１ｂを本体部１２の第３の角部２１ｃ側に配置してもよい。すなわち、肩掛けベルト１６の他方の端部６１ｂの移動は、本体部１２を移動させる前のタイミングでも、後のタイミングでも、どちらでもよい。
本体部１２を移動させ、肩掛けベルト１６の一方の端部６１ａが横縁２４ａ側から延びる状態とし、折曲部１７が横縁２４ｂ側から延びる状態とすることにより、一方の端部６１ａ及び他方の端部６１ｂを対角線上に配置して画板のように本体部１２を保持する。
このように、肩掛けベルト１６の他方の端部６１ｂを第２の位置に配置、すなわち、連結金具Ｃ２を上側ａから下側ｂへ移動させることにより、肩掛けベルト１６の他方の端部６１ｂが本体部１２の第３の角部２１ｃ側に配置される位置に配置し、本体部１２を回転させて一方の端部６１ａ及び他方の端部６１ｂを対角線上に配置することにより、タブレット端末Ｔの表示部Ｔｄを上方に向けてタブレット端末Ｔを使用する使用状態とする。
【００２８】
このようにして、電子機器収容ケース１は、肩掛けベルト１６の他方の端部６１ｂが本体部１２の第２の角部２１ｂ側に配置される第１の位置と、第３の角部２１ｃ側に配置される第２の位置とを移動可能な移動部５２を備えている。このため、肩掛けベルト１６の他方の端部６１ｂが第１の位置に配置することにより肩掛けベルト１６の一方の端部６１ａ及び他方の端部６１ｂで横縁２４ａが略水平になるように本体部１２を保持する持ち運び状態と、肩掛けベルト１６の他方の端部６１ｂが第２の位置に配置することにより肩掛けベルト１６の一方の端部６１ａ及び他方の端部６１ｂを対角線上に配置して本体部１２を保持する使用状態とを、肩掛けベルト１６の他方の端部６１ｂを移動するのみで容易に変更することができる。また、持ち運び状態では、肩掛けベルト１６の一方の端部６１ａ及び他方の端部６１ｂで横縁２４ａが略水平になるように本体部１２を縦にして持ち運ぶことができるため、安定して持ち運ぶことができるとともに使用者の業務などの邪魔にならない。さらに、肩掛けベルト１６を肩に掛けたまま、持ち運び状態と使用状態とを変更することができるため、タブレット端末Ｔの落下を防止することができる。
【００２９】
また、第２の角部２１ｂから第３の角部２１ｃまで略直線状に配置されたスライドベルト５３に沿って、肩掛けベルト１６の他方の端部６１ｂを移動させるため、他方の端部６１ｂの移動を簡単に行うことができる。
また、収容部３２は、本体部１２の一方の面２２ａに配置されており、固定部４２及び移動部５２は、他方の面２２ｂに配置されている。このため、持ち運び状態ではタブレット端末Ｔの表示部Ｔｄは使用者側を向く位置に配置され、使用状態ではタブレット端末Ｔの表示部Ｔｄが上方を向くように配置される。特に、医療現場で医療従事者が電子機器収容ケース１を持ち運ぶ際に、持ち運び状態ではカルテなどの個人情報を表示した表示部Ｔｄが使用者側を向く位置に配置されるため、表示部Ｔｄに表示された情報を保護することができる。
【００３０】
また、肩掛けベルト１６の一方の端部６１ａが横縁２４ａ側から延びる状態とし、折曲部１７が横縁２４ｂ側から延びる状態とすることにより、一方の端部６１ａ及び他方の端部６１ｂを対角線上に配置して画板のように本体部１２を保持する。このため、タブレット端末Ｔを使用する際に肩掛けベルト１６が邪魔にならない。
また、肩掛けベルト１６の他方の端部６１ｂが第２の位置に配置されると、２重に重ね合わせられた折曲部１７の重ね合わせ部分７３ａがスライドベルト５３の他方の端部５３ｂの上に重なり合うため、一方の端部６１ａ及び他方の端部６１ｂを対角線上に配置した際に安定感を増すことができる。
さらに、肩掛けベルト１６の他方の端部６１ｂが第２の位置に配置されると、縫合部分７４ａが横縁２４ｂに位置し、折曲部本体７２は１重であるため、折曲部本体７２を矢印Ｍ２方向へ折り曲げ易い。
【００３１】
３．その他
なお、本発明の実施の形態に係る電子機器収容ケースは、上述のタブレット端末Ｔを収容する電子機器収容ケース１に限定されるものではなく、本発明の概念に含まれるあらゆる態様を含む。また、上述した効果の少なくとも一部を奏するように、計量装置の各構成を適宜選択的に組み合わせてもよい。
上述した電子機器収容ケース１は、タブレット端末Ｔに限らず、スマートフォン、タブレット機器などの電子機器を収容してもよい。
また、電子機器収容ケース１は、タブレット端末Ｔを使用者の右肩から斜め肩掛けにして使用する場合について説明したが、タブレット端末Ｔを使用者の左肩から斜め肩掛けにして使用してもよいし、使用者の首から掛けて使用してもよい。また、固定部４２と移動部５２の位置を逆、すなわち、固定部４２を第２の角部２１ｂに配置し、移動部５２のスライドベルト５３を第１の角部２１ａから第４の角部２１ｄに配置し、タブレット端末Ｔを使用者の左肩から斜め肩掛けにして使用してもよい。さらに、肩掛けベルト１６の一方の端部６１ａが第１の角部２１ａと第４の角部２１ｄとを移動可能に固定部４２がスライドベルトを有していてもよい。すなわち、肩掛けベルト１６の各端部６１ａ，６１ｂがスライドベルトに連結されていてもよい。
以上のように、同様の機能を有する任意の構成のものに置き換えても、本発明の実施の形態に係る電子機器収容ケース１と同様の作用効果を得ることができる。
【符号の説明】
【００３２】
１…電子機器収容ケース、１２…本体部、１６…ベルト、１７…折曲部、１８…ポケット、１８ａ…第１ポケット部、１８ｂ…第２ポケット部、１８ｃ…第３ポケット部、１９…リング、２１ａ…第１の角部、２１ｂ…第２の角部、２１ｃ…第３の角部、２１ｄ…第４の角部、２２ａ…表面、２２ｂ…裏面、２３ａ，２３ｂ…周縁部、２４ａ，２４ｂ…横縁、２４ｃ，２４ｄ…縦縁、３０…開口、３２…収容部、３３…窓部、３４ａ，３４ｂ…保護部材、３５…ファスナー、３６…覆い部材、４２…固定部、４３…固定ベルト、４４…重ね合わせ部分、５２…移動部、５３…スライドベルト、５３ａ…一方の端部、５３ｂ…他方の端部、６１ａ…一方の端部、６１ｂ…他方の端部、６１ｃ…肩掛け部、６２…連結金具、６３…アジャスタ、７２…折曲部本体、７１ａ…一方の端部、７１ｂ…他方の端部、７２…折曲部本体、７３ａ，７３ｂ…重ね合わせ部分、７４ａ，７４ｂ…縫合部分、Ｃ１，Ｃ２，Ｃ３…連結金具
【図１】
2020092841.tif 000003
【図２】
2020092841.tif 000004
【図３】
2020092841.tif 000005
【図４】
2020092841.tif 000006
【図５】
2020092841.tif 000007
【図６】
2020092841.tif 000008
【図７】
2020092841.tif 000009
【図８】
2020092841.tif 000010